【事件の表示】
　平成　５年特許願第２１５９７２号「電子機器」拒絶査定に対する審判事件［平成　７年　３月１０日出願公開、特開平　７−　６４９２４］について、次のとおり審決する。
【結　論】
　本件審判の請求は、成り立たない。
【理　由】
１．手続の経緯・本願発明
本願は平成５年８月３１日の出願であって、その請求項１に係る発明は、符号（Ａ）〜（Ｄ−２．２）を付して分説すれば、平成１４年１月１１日付け手続補正書により補正された特許請求の範囲の請求項１に記載された次のとおりのものと認める。（以下、「本願発明」という）
「（Ａ）複数の変数を含む任意の式と該式に含まれる複数の変数に対する変数値を入力すると共に、前記式及び前記変数に対する変数値の登録あるいは呼出しを指示するための入力手段と、
（Ｂ）前記入力手段にて入力された式及び変数に対する変数値を表示する表示手段と、
（Ｃ）前記式及び変数に対する変数値を記憶する記憶手段と、
（Ｄ）
（Ｄ−１．１）前記入力手段により式の登録が指示されると、前記記憶手段に式と同時に変数に対する変数値を格納する際に、前記式には登録名である式登録名を付けて記憶し、前記式の下位となるように前記変数値には登録名である変数登録名を付けて階層的に記憶し、
（Ｄ−１．２）さらに前記入力手段により前記式に含まれる変数に対する変数値の登録が指示されると、前記記憶手段に変数に対する変数値を格納する際に、前記式の下位となるように前記変数値には登録名である変数登録名を付けて階層的に記憶し、
（Ｄ−２．１）前記入力手段により式の呼出しが指示されると、前記記憶手段に記憶されている式に付けられた式登録名の一覧を前記表示手段に表示し、
（Ｄ−２．２）さらに前記入力手段により前記式に含まれる変数の呼出しが指示されると、前記記憶手段に前記式の下位に記憶されている変数に付けられた変数登録名の一覧を前記表示手段に表示するように制御する
制御手段と、
を備えることを特徴とする電子機器。」
　
２．引用刊行物記載の発明
　これに対し、当審の拒絶の理由に引用された、本願出願の日前である平成３年２月２７日に頒布された特開平３−４６０６１号公報（以下、「引用刊行物」という）には、次の事項が記載されている。
（１）「式情報共通領域領域１７ａは、上述した如く表計算のための数式からなる式データを記憶するものであり、一般の表データを記憶する記憶部１７上の一領域を占有する。表データと式データとはｎ：１で対応し、表データを呼出す際に式データ名で対応付けられ、表データは記憶部１７内に、式データは記憶部１７の式情報共通領域１７ａに格納される。」（第２頁右上欄末行から同頁左下欄第６行）
（２）「上記のような構成にあって、複数の表が作成されて記憶部１７に格納されており、その式データが記憶部１７の式情報共通領域１７ａに格納されている状態で、次の新たな表を作成し、その表計算を実行させる場合の動作について第２図を用いて説明する。
　まず、動作当初には、ステップＳ１に示す如くキーボード１１での指示により表名指定を行う。この指定入力は式処理部１３を介して表操作処理部１４に送られる。表操作処理部１４はこの指定に応じて、続くステップＳ２で表呼出し処理部１５に記憶部１７内の指定表名に対応した表データを呼出させ、式処理部１３を介してＣＲＴ１２で表示させる。その後、ステップＳ３で表の呼出しに続いて表計算のための式データの呼出しも行なうか否かをキーボード１１での操作により判断する。行なうと判断された場合は次にステップＳ４に進み、キーボード１１での指示に応じた式データを表呼出し処理部１５により記憶部１７の式情報共通領域１７ａから呼出させ、これも式処理部１３を介してＣＲＴ１２で表示させる。なお、ステップＳ３で式の呼出しが指定されていないと判断された場合はこのステップＳ４の処理は省略する。
　こうして呼出しを終えた後、ステップＳ５においてＣＲＴ１２に表示された表に対し、表データの入力、修正及び追加、式データの入力、修正、追加を行う。表計算を除くすべての操作を終了した時点で表操作処理部１４は、次に表データと式データによる表計算を式処理部１３により実行させ、算出されたデータを表内の適当な位置に設定させる。こうし完成された表はそのままＣＲＴ１２で表示されるもので、この状態で印刷、評価等の処理がキーボード１１からの指示により実行される。」（第２頁左下欄第７行〜同頁右下欄第１９行）
（３）「その後、この表を記憶部１７に格納するもので、ステップＳ６に示すように表計算で使用した式データを格納するか否かがキーボードでの指示により判断される。式を格納する場合は次のステップＳ７に進み、表計算で使用した式データを表格納処理部１６により式情報共通領域１７ａに格納する。また、式を格納しない場合にはこのステップＳ７の処理は省略し、次にステップＳ８に進む。そしてステップＳ８で表形式及び表内の個々の位置に設定されたデータからなる表データを表格納処理部１６により記憶部１７に格納し、以上であらたにな表作成に関する処理を一旦終了する。」（第２頁右下欄第２０行〜第３頁左欄第１１行）
（４）「以上詳記した如く本発明によれば、表を記憶する記憶部に各表に用いる数式を表と独立して記憶する式情報共通領域を設け、各表に用いる数式をこの数式情報共通領域に格納させておき、新たに表を作成する際にはこの式情報共通領域に格納された数式の中から任意のものを呼出して入力設定可能としたもので、表計算の入力設定を大幅に簡略化することができ、且つ、表データと式データとを分離して格納することにより、記憶部を有効に使用することが可能な表処理装置を提供することができる。」（第３頁左欄第１７行〜同頁右欄第７行）
　
ａ、上記（２）（３）の記載によると、キーボード１１は任意の式データと表データを入力すると共に、前記式データ及び表データの登録あるいは呼出しを指示するための入力手段である。
ｂ、上記（２）の記載によると、ＣＲＴ１２はキーボードにて入力された式データ及び表データを表示する表示手段である。
ｃ、上記（１）の記載によると、記憶部１７ａを含む記憶部１７は式データ及び表データを記憶する記憶手段である。
ｄ、上記（３）の記載によると、表の格納の際に式データを格納するか否かがキーボードの指示により判断がなされている（Ｓ６）。そして、式データの格納が指示されると、式データが格納された（Ｓ７）後に表データが格納されている（Ｓ８）。
　一方、式データの格納が指示されないときは、表データのみが格納されている（Ｓ８）。
　
　また、上記（２）の記載によると、表名指定により表データを呼出しているので、表データは表名を付けて格納されており、表名で呼出されるものと認められる。 
　そして、上記（１）によると、式データには式データ名があり、「表データと式データとはｎ：１で対応し、そして、表データは「式データ名に対応付けられ」て呼出されるものである。
　したがって、式データは式データ名が付されて格納され、式名指定により呼出されるものと認められ、また、表データは、表名が付されて格納され、呼出す際には、式データ名に対応付けられて表名指定により呼出されているものと認められる。
（これらの処理は、式処理部１３，表操作処理部１４，表呼出し処理部１５，表格納処理部１６によって行われるものであるから、以下、「式処理部１３，表操作処理部１４，表呼出し処理部１５，表格納処理部１６」をまとめて「処理部１３〜１６」と呼ぶ。）
　
　したがって、上記引用刊行物には
「ａ、式データと該式に含まれる複数の変数に対する表データを入力すると共に、前記式データ及び前記変数に対する表データの登録あるいは呼出しを指示するためのキーボード１１、
ｂ、キーボードにて入力された式データ及び表データを表示するＣＲＴ１２、
ｃ、式データ及び表データを記憶する記憶部（１７、１７ａ）、
ｄ、
ｄ−１.１、キーボード１１により格納の際に式データの格納が指示される（ステップＳ６）と、前記記憶部に式データ及び表データを格納する際に、前記式データには式データ名を付けて格納し（ステップＳ７）、前記表データには表名を付けて格納し（ステップＳ８）、
ｄ−１．２、さらに格納の際にキーボード１１により式データの格納が指示されない場合（ステップＳ６）は、前記記憶部に表データを格納する際に、前記表データには表名を付けて格納し（ステップＳ８）、
ｄ−２．１、キーボード１１により表データの呼出しが指示される（ステップＳ１）と、式データ名に対応付けられて表データの呼出しを表名指定で行い（ステップＳ２）、
ｄ−２．２、さらにキーボード１１により、式データの呼出しが指示される（ステップＳ３）と、式データの呼出しを行う（ステップＳ４）
処理部１３〜１６とを
備える表計算装置」（以下、「引用発明」という）が記載されているものと認められる。
　
３．対比
　引用発明の「表計算装置」は「電子装置」に含まれるものと認められる。
　表計算におけるセルの番地、またはセルの名称は変数であり、「表データ」の要素である、セルの値はその変数の値（変数値）である。そして「表名」は１または２以上のセルの値の１つの組である表データを格納、呼出しをするための名称である。
　そして、引用発明の「式データ名」は表計算に用いられる式データを格納、呼出しするのに用いられる名称である。
　そして、本願発明の（Ｄ−１．１）の「同時」とは、発明の詳細な説明に「同時」という用語は用いられていず、「「ＳＡＶＥ」は式及び変数の数値をメモリに書き込む。」（段落【００１０】、「今、入力した式及び変数の数値を登録するのであるから、上下カーソルキーにてメニューの中から「ＳＡＶＥ」を選択し、」（段落【００１１】の記載から、「同時」とは「及び」の意味であると認められる。
　また、本願発明の「登録」とは、上記段落【００１０】、【００１１】の「メモリに書き込む。」、「メモリ（データ格納用のＲＡＭメモリー５）に登録される。」の記載及び段落【００１３】の「所望した式の各変数に対する数値のうち第１番目に登録されている変数の数値が図２のｆの状態で表示される」の記載から、呼出すことができるように、メモリに書込むこと、もしくはメモリに格納することである。　
　一方、引用発明においても「格納」は呼出しができるように、記憶部に格納しているものであり、そしてその呼出しは対象に付せられた名称でなされているものと認められる。
　また、　本願発明の（Ｄ−１．２）は、本願明細書の発明の詳細な説明の段落【００１３】の記載によると、「「ＶＳＡＳＥ」を選択すると、登録されている式の登録名表示画面となるので、ここからどの式について登録するかを選択するために、（中略）。そこで、登録名「ＤＥＦ」を入力後［Ｅｎｔｅｒ］キーを操作する。」に対応するもので、登録されている式の下位に変数値を登録できるものであると認められる。
　
　また、　本願発明の（Ｄ−２．２）の「変数に付けられた変数登録名」とは、「変数登録名」の定義及び本願明細書の発明の詳細な説明の段落［００１４］の「「ＬＯＡＤ」を選択すれば、図３の（ｅ）のように表示される。ここでは、式の登録名と変数値登録画面が存在することが表示されている。右カーソルを操作すると、図３の（ｆ）のように変数の登録名が表示される。」の記載及び図３の（ｆ）から、「変数値（の組）に付けられた変数登録名」の意味であると認められ、そして、変数の呼出しは、一覧表示された式登録名の中から目的の式登録名を指示し、その後、指示された式登録名の式に属する変数登録名を一覧表示し、その中から目的の変数値の組を表す変数登録名を選択して変数を呼出すものと認められる。
　したがって、引用発明と同様、式登録名に対応付けられた変数値の変数登録名で呼出しを行っているには相違ない。
　
　したがって、引用発明の「式データ」、「式データ名」、「表データ」、「表名」は、それぞれ、本願発明の「複数の変数を含む任意の式」、「式登録名」、「該式に含まれる複数の変数に対する変数値」、「変数登録名」に、また、引用発明の「格納」は、本願発明の「登録」「記憶」または「格納」に対応し、また、引用発明の「キーボード１１」、「ＣＲＴ１２」、「記憶部１７，記憶部１７上の式情報共通領域１７ａ」、「処理部１３〜１６」は、それぞれ、本願発明の「入力手段」、「表示手段」、「記憶手段」、「制御手段」に対応する。
　
　よって本願発明と前記引用発明とは
「Ａ’、複数の変数を含む任意の式と該式に含まれる複数の変数に対する変数値を入力すると共に、前記式及び前記変数に対する変数値の登録あるいは呼出しを指示するための入力手段と、
Ｂ’、入力手段にて入力された式及び変数に対する変数値を表示する表示手段と、
Ｃ’、式及び変数に対する変数値を記憶する記憶手段と、
Ｄ’
格納において
（Ｄ’−１．１）式及び変数値の格納の指示があり、前記記憶手段に式及び変数に対する変数値を格納する際に、前記式には登録名である式登録名を付けて記憶し、前記変数値には登録名である変数登録名を付けて記憶し、
（Ｄ’−１．２）さらに変数値のみの格納の指示があり、前記記憶手段に前変数に対する変数値を格納する際に、前記変数値には登録名である変数登録名を付けて記憶し、
呼出しにおいて
（Ｄ’−２．２）前記入力手段により、式の呼び出しが指示されると、前記記憶手段に記憶されている式に付けられた登録名により呼び出し、
（Ｄ’−２．１）さらに前記入力手段により式に含まれる変数値の呼出しが指示されると、前記記憶手段に記憶されている変数に付けられた変数登録名を式登録名に対応付けて呼出しを行うように制御する
制御手段と、を備える電子機器」である点で一致し、次の点で相違する。
　
相違点
Ａ、格納において、本願発明は、（１）式及び変数値を登録する指示である「式の登録の指示」と（２）変数値のみの登録指示である「変数値の登録の指示」であるのに対して、引用発明は、（１）式及び変数値を登録する指示である「式の登録指示」と（２）変数値のみの登録指示である「式は格納しない指示」である点。
Ｂ、格納において、本願発明では、変数値の登録は「登録されている式の下位となるように変数値を階層的に記憶」するものであるに対して、引用発明には、格納時の構成が特定されていない点。
Ｃ、呼出しにおいて、本願発明では、式登録名並びに変数登録名の一覧を表示するものであり、かつ、変数登録名の一覧表示は、式の下位に記憶されている変数登録名であるのに対して、引用発明においては、呼出しに際しての表示については特定されていない点。
　
４．当審の判断
　引用発明は、上記（１）〜（４）の記載から
１つの式データに対して複数の表データを保存でき、
１つの式データを、他の表データに適用することで、入力設定を簡略化することができ、
式データの保存だけでなく、表データを収集、保存し、加工することができるものである。
　これは、本願発明の目的効果の記載である
段落【０００４】の
（目的）「本発明は、１つの式に対して複数組の変数値を保存できる電子機器を提供することを目的とする。」
段落【００１７】の
（効果ａ）「１つの式に対して複数組の変数値を保存できるようになった。」
（効果ｂ）「これらの式登録名並びに変数登録名を表示手段によって一覧表示させて選択させるので、利用者は所望の式及び該式の各変数を視覚的に確認できように選択できることで、操作性を向上することができるようになった。」
　また、段落【００１８】、【００１９】によれば
（効果ｃ）「１つの式において各定数を定めておき、いろいろな用途で一部の数値のみを変更することで、必要な数値を求めるまでの手順を短くすることができる。」
（効果ｄ）「いままでは式を保存するということが主として可能なだけであったが、本発明により数値を収集、保存し、加工するという使用方法が新たに可能になった。」
の、（目的）、（効果ａ）、（効果ｃ）、（効果ｄ）に対応するものである。
　
上記Ａの相違点について
　両者の指示形態が相違するが、指示による結果は同じであり、どちらの指示形態をとるかは当業者が適宜なし得る程度のものにすぎない。
　
上記Ｂ、Ｃの相違点について
　あるものを呼出す際に、一覧表示して目的のものを選択する手法及び選択すべきものが他のものに対応付けされているとき、まず対応付けされた一方（上位）の項目を選択し、その項目について対応付けられた他方（下位）の項目を一覧表示して、その１つを選択するという呼出し手法は例示するまでもなく周知慣用手段にすぎない。（よく知られた例では、オブジェクトをあるディレクトリに対応させて記憶し、呼出し時はディレクトリを一覧表示させ、目的のオブジェクトが対応付けられているディレクトリを選択して、そのディレクトリに対応付けられている複数のオブジェクトを一覧表示し(即ちオブジェクトはディレクトリの下位に対応付けられている）、その中から目的のオブジェクトを選択する、という例が挙げられる。また、原審の査定時に示された特開平４−２６６１３７号公報には、一覧表示については記載されていないが、親データと子データとがポインタにより親子関係の階層構造で対応付けられて管理されており、親データから子データへ順次検索していくことが示されている。）　
　そして、引用発明においても、上記（１）の記載から、「表データ（変数値の組）と式データ（式）とはｎ：１で対応し、表データ（変数値の組）を呼出す際に式データ名（式登録名）で対応付けられ、（中略）記憶部に格納される」ものであるから、表データ（変数値の組）の格納時に式データ（式）の下位になるように表データを対応させて格納し、表データ（変数値の組）の呼出しにおいて、（式登録名を一覧表示し、目的の式登録名を選択し）「その式に対応付けられた変数登録名の一覧を表示する」ことは当業者が容易になし得たものと認められる。
　そして、一覧表示が「利用者は目的の選択対象を視覚的に確認でき、容易に選択できることで、操作性を向上する」ことは周知の効果であり、したがって上記（効果ｂ）の「利用者は所望の式及び該式の各変数の組を視覚的に確認でき、容易に選択できることで、操作性を向上する」という効果は容易に予測し得る程度の効果にすぎない。
　
５．むすび
　したがって、本願発明は、引用刊行物に記載された発明に基づいて当業者が容易に発明をすることができたものであるので、特許法第２９条第２項の規定により特許を受けることができない。